(57)【要約】【課題】縮寸スリーブを有する油圧チャックを提供する。【解決手段】工具を受容するための油圧拡張チャックは、チャック本体と、チャック本体に受容されかつチャック開口部を画定する拡張ブッシュと、拡張ブッシュとチャック本体との間に間挿される圧力チャンバと、縮寸スリーブとを含む。縮寸スリーブは、拡張ブッシュのチャック開口部に受容され、チャックされるべき工具を受容するための工具ホルダ受口を画定する。縮寸スリーブは、縮寸スリーブをチャック本体に解放可能に取り付けるように構成されたコネクタ要素を含む。縮寸スリーブはまた、工具ホルダ受口の工具の軸方向位置を調整するように構成された調整要素を含んでもよい。【選択図】図２
2014231140.tif 000002
【特許請求の範囲】
【請求項１】
工具を受容するための油圧拡張チャックであって、
装着部材を有するチャック本体と、
前記チャック本体に受容されかつチャック開口部を画定する拡張ブッシュと、
前記拡張ブッシュと前記チャック本体との間に間挿される圧力チャンバと、
前記拡張ブッシュの前記チャック開口部に受容され、かつチャックされるべき前記工具を受容するための工具ホルダ受口を画定する縮寸スリーブであって、前記縮寸スリーブを前記チャック本体に解放可能に取り付けるために、前記装着部材と協働するように構成されたコネクタ要素を含む縮寸スリーブと、
を備える、油圧拡張チャック。
【請求項２】
前記コネクタ要素が前記縮寸スリーブの軸方向後端に隣接して形成される、請求項１に記載の油圧拡張チャック。
【請求項３】
前記拡張ブッシュが前記チャック開口部と連通してチャック受口を画定し、
前記装着部材が前記チャック受口の軸方向後端に隣接して形成される、
請求項２に記載の油圧拡張チャック。
【請求項４】
前記縮寸スリーブが、前記工具ホルダ受口の前記工具の軸方向の位置を調整するように構成された調整要素を含む、請求項１に記載の油圧拡張チャック。
【請求項５】
前記縮寸スリーブが、前記チャック本体の前記装着部材と協働するために前記縮寸スリーブを駆動するための手段を含む、請求項１に記載の油圧拡張チャック。
【請求項６】
前記拡張ブッシュが前記縮寸スリーブを中心に円周方向に配置され、
前記縮寸スリーブが前記工具を中心に円周方向に配置される、
請求項１に記載の油圧拡張チャック。
【請求項７】
前記縮寸スリーブがステンレス鋼材料又はニッケル合金材料の少なくとも１つから形成される、請求項１に記載の油圧拡張チャック。
【請求項８】
前記縮寸スリーブが、前記縮寸スリーブを中心に円周方向に離間している複数の細長いスロットを含む、請求項１に記載の油圧拡張チャック。
【請求項９】
前記複数の細長いスロットが、前記縮寸スリーブの半径方向の変形を可能にするために前記縮寸スリーブを通して半径方向に延びる、請求項８に記載の油圧拡張チャック。
【請求項１０】
前記縮寸スリーブが、前記縮寸スリーブの軸方向前端に隣接するフランジを含み、
前記フランジが、前記拡張ブッシュの軸方向前端に係合するように構成される、
請求項１に記載の油圧拡張チャック。
【請求項１１】
油圧拡張チャックアセンブリであって、
チャック本体を有する油圧チャックと、前記チャック本体に装着された拡張ブッシュであって、チャック受口と連通してチャック開口部を画定する拡張ブッシュと、前記拡張ブッシュと前記チャック本体との間に間挿される圧力チャンバと、
切削部分とシャンク部分とを有する工具と、
前記拡張ブッシュの前記チャック開口部に受容され、かつ前記工具の前記シャンク部分を受容するための工具ホルダ受口を画定する縮寸スリーブであって、前記縮寸スリーブを前記チャック本体に解放可能に取り付けるように構成されたコネクタ要素を含む縮寸スリーブと、
を備える、油圧拡張チャックアセンブリ。
【請求項１２】
前記チャック本体が、前記チャック受口の軸方向後端に隣接して形成された装着部材を含み、
前記装着部材が、前記チャック本体と前記縮寸スリーブとの間に解放可能な取付けを提供するために前記縮寸スリーブの軸方向後端に隣接して形成される前記コネクタ要素と協働するように構成される、
請求項１１に記載の油圧拡張チャックアセンブリ。
【請求項１３】
前記縮寸スリーブが、前記工具に係合しかつ前記工具ホルダ受口の前記工具の軸方向の位置を調整するように構成された調整要素を含む、請求項１１に記載の油圧拡張チャックアセンブリ。
【請求項１４】
前記縮寸スリーブが、前記縮寸スリーブを中心に円周方向に離間しかつ前記縮寸スリーブの半径方向の変形を可能にするために前記縮寸スリーブを通して半径方向に延びる複数の細長いスロットを含む、請求項１１に記載の油圧拡張チャックアセンブリ。
【請求項１５】
前記縮寸スリーブが、前記縮寸スリーブの軸方向前端に隣接するフランジを含み、
前記フランジが、前記拡張ブッシュの軸方向前端に係合するように構成される、
請求項１１に記載の油圧拡張チャックアセンブリ。
【請求項１６】
工具を受容する油圧拡張チャック用の縮寸スリーブであって、
軸方向前端と、軸方向後端と、前記軸方向前端と前記軸方向後端との間に延びる側壁とを有するスリーブ本体であって、前記工具を受容するために前記軸方向前端に隣接して受口開口部を有する工具ホルダ受口を画定する前記スリーブ本体と、
前記スリーブ本体の軸方向後端に隣接して前記スリーブ本体を前記油圧拡張チャックに解放可能に取り付けるためのコネクタ要素と、
を備える、縮寸スリーブ。
【請求項１７】
前記スリーブ本体が、前記スリーブ本体を中心に円周方向に離間しかつ前記スリーブ本体の半径方向の変形を可能にするために前記スリーブ本体を通して半径方向に延びる、前記スリーブ本体の側壁に形成された複数の細長いスロットを含む、請求項１６に記載の縮寸スリーブ。
【請求項１８】
前記スリーブ本体が、ステンレス鋼材料又はニッケル合金材料の少なくとも１つから形成される、請求項１６に記載の縮寸スリーブ。
【請求項１９】
前記工具ホルダ受口の前記工具の軸方向の位置を調整するように構成された調整要素をさらに含む、請求項１６に記載の縮寸スリーブ。
【請求項２０】
縮寸スリーブの軸方向前端に隣接するフランジをさらに含み、
前記フランジが前記油圧拡張チャックに係合するように構成される、
請求項１６に記載の縮寸スリーブ。
【発明の詳細な説明】
【技術分野】
【０００１】
本発明は、油圧チャックに関し、より詳しくは、縮寸スリーブ（ｒｅｄｕｃｔｉｏｎ  ｓｌｅｅｖｅ）を有する油圧拡張チャックに関する。
【背景技術】
【０００２】
油圧拡張チャックは、典型的に、本体と、本体に受容され、かつチャックされるべき工具用の工具ホルダ受口又は空間を画定する拡張ブッシュと、拡張ブッシュと本体との間に構成される圧力チャンバとを有する。
【０００３】
チャックされるべき工具のシャンクは、このような拡張チャックの工具ホルダ受口に挿入することができる。次に、圧力チャンバは、拡張ブッシュを工具のシャンクに対して負荷することを可能にするために圧力下に置かれる。次に、工具のシャンクは、工具ホルダ受口の空間に摩擦によって保持される。
【０００４】
工具が油圧拡張チャックに受容されかつ動作しているとき、高いトルクが典型的に拡張チャックと工具との間で伝達される。使用中に油圧拡張チャックの工具又は構成要素は、特にチャックシステム内の油圧の低下又は損失がある場合、軸方向又はその他の望ましくない運動を経験し得ることが確認されている。このことは、工具に対する損傷、油圧拡張チャックに対する損傷、工作物に対する損傷をもたらすことがあるか、又は全体的な品質及び／又は実行される切削操作の精密さに負の影響を及ぼすことがある。
【発明の概要】
【発明が解決しようとする課題】
【０００５】
したがって、公知の油圧拡張チャックの不都合、限界及び欠点を克服する改良された油圧拡張チャックの必要性がある。
【課題を解決するための手段】
【０００６】
本発明の一態様によれば、工具を受容するための油圧拡張チャックは、装着部材を有するチャック本体と、チャック本体に受容されかつチャック開口部を画定する拡張ブッシュと、拡張ブッシュとチャック本体との間に間挿される圧力チャンバと、縮寸スリーブとを含む。縮寸スリーブは、拡張ブッシュのチャック開口部に受容され、チャックされるべき工具を受容するための工具ホルダ受口を画定する。縮寸スリーブは、縮寸スリーブをチャック本体に解放可能に取り付けるために装着部材と協働するように構成されたコネクタ要素を含む。一態様において、縮寸スリーブはまた、工具ホルダ受口の工具の軸方向位置を調整するように構成された調整要素を含んでもよい。他の態様において、縮寸スリーブは、縮寸スリーブの半径方向の変形を可能にするために縮寸スリーブを中心に円周方向に離間している複数の細長いスロットを含む。
【０００７】
本発明の他の態様によれば、油圧拡張チャックアセンブリは、チャック本体に装着された拡張ブッシュを有するチャック本体を含み、拡張ブッシュは、チャック開口部と、拡張ブッシュとチャック本体との間に間挿される圧力チャンバとを画定する。油圧拡張チャックアセンブリはまた、切削部分とシャンク部分とを有する工具と、拡張ブッシュのチャック開口部に受容され、かつ工具のシャンク部分を受容するための工具ホルダ受口を画定する縮寸スリーブとを含む。縮寸スリーブは、縮寸スリーブをチャック本体に解放可能に取り付けるように構成されたコネクタ要素を含む。一態様において、縮寸スリーブはまた、工具ホルダ受口の工具の軸方向位置を調整するように構成された調整要素を含んでもよい。他の態様において、縮寸スリーブは、縮寸スリーブを中心に円周方向に離間しかつ縮寸スリーブの半径方向の変形を可能にするために縮寸スリーブを通して半径方向に延びる複数の細長いスロットを含む。
【０００８】
本発明の他の態様によれば、工具を受容する油圧拡張チャック用の縮寸スリーブは、軸方向前端と、軸方向後端と、軸方向前端と軸方向後端との間に延びる側壁とを有するスリーブ本体を含む。スリーブ本体は、工具を受容するための軸方向前端に隣接して受口開口部を有する工具ホルダ受口を画定する。縮寸スリーブはまた、スリーブ本体の軸方向後端に隣接してスリーブ本体を油圧拡張チャックに解放可能に取り付けるためのコネクタ要素を含む。
【図面の簡単な説明】
【０００９】
【図１】本発明の一態様による油圧拡張チャックアセンブリの等角部分断面図である。
【図２】本発明の一態様による図１に示した油圧拡張チャックアセンブリの分解組立図である。
【図３】本発明の一態様による組み立てた（ａｓ  ａｓｓｅｍｂｌｅｄ）図２に示した油圧拡張チャックアセンブリの部分側断面図である。
【図４Ａ】本発明の一態様による図１〜図３に示した縮寸スリーブの部分側断面図である。
【図４Ｂ】本発明の他の態様による図４Ａに示した縮寸スリーブの頂面図である。
【図５Ａ】本発明の一態様による追加の縮寸スリーブの側断面図である。
【図５Ｂ】本発明の他の態様による図５Ａに示した縮寸スリーブの頂面図である。
【図６Ａ】本発明の一態様による追加の縮寸スリーブの側断面図である。
【図６Ｂ】本発明の他の態様による図６Ａに示した縮寸スリーブの頂面図である。
【図７Ａ】本発明の一態様による追加の縮寸スリーブの側断面図である。
【図７Ｂ】本発明の他の態様による図７Ａに示した縮寸スリーブの頂面図である。
【図８】本発明の一態様による追加の縮寸スリーブの頂面図である。
【図８Ａ】本発明の一態様による図８の線８Ａ−８Ａに沿った側断面図である。
【図９】本発明の一態様による追加の縮寸スリーブの頂面図である。
【図９Ａ】本発明の一態様による図９の線９Ａ−９Ａに沿った側断面図である。
【図１０】本発明の一態様による追加の縮寸スリーブの頂面図である。
【図１０Ａ】本発明の一態様による図１０の線１０Ａ−１０Ａに沿った側断面図である。
【図１１】本発明の一態様による追加の縮寸スリーブの頂面図である。
【図１１Ａ】本発明の一態様による図１１の線１１Ａ−１１Ａに沿った側断面図である。
【図１２】本発明の一態様による追加の縮寸スリーブの頂面図である。
【図１２Ａ】本発明の一態様による図１２の線１２Ａ−１２Ａに沿った側断面図である。
【図１３】本発明の一態様による追加の縮寸スリーブの頂面図である。
【図１３Ａ】本発明の一態様による図１３の線１３Ａ−１３Ａに沿った側断面図である。
【図１４】本発明の一態様による追加の縮寸スリーブの頂面図である。
【図１４Ａ】本発明の一態様による図１４の線１４Ａ−１４Ａに沿った側断面図である。
【図１５】本発明の一態様による追加の油圧拡張チャックアセンブリの部分側断面図である。
【発明を実施するための形態】
【００１０】
図１〜図４Ｂを参照すると、本発明の様々な態様による油圧拡張チャックアセンブリ１０及びその構成要素が示されている。油圧拡張チャックアセンブリ１０は、工具受口側端部１４と機械工具側端部１６とを有する油圧拡張チャック１２を含む。油圧拡張チャックアセンブリ１０はまた、例えば、油圧拡張チャック１２の工具受口側端部１４に受容するために構成される穴開け工具又はフライス又は同様の工具のような切削工具１８を含む。さらに、油圧拡張チャックアセンブリ１０は、本明細書により詳細に説明するように、油圧拡張チャック１２の工具受口側端部１４に受容するために構成される縮寸スリーブ２２を含む。アセンブリ１０は、機械工具側端部１６において、油圧拡張チャック１２を回転駆動するための機械（図示せず）に接続又は取り付けるための駆動アダプタ（ｄｒｉｖｅ  ａｄａｐｔｅｒ）２０に接続されてもよい。油圧拡張チャックアセンブリ１０は、中心長手方向軸線Ａ−Ａを中心にアセンブリ１０が回転する軸線を含む。
【００１１】
油圧拡張チャック１２は、チャック本体２４及び拡張ブッシュ２６を含み、それらの両方は、例えば、鋼又は適切な同様の材料から形成されてもよい。拡張ブッシュ２６は、工具受口側端部１４に隣接してチャック開口部３０及びチャック受口３１を画定する（例えば、図２参照）。
【００１２】
油圧拡張チャック１２はまた、拡張ブッシュ２６とチャック本体２４との間に間挿される圧力チャンバ２８を含む。高圧が圧力チャンバ２８に形成するように、油圧流体をダクト（図示せず）を介して圧力チャンバ２８に供給することができる。この圧力の結果、拡張ブッシュ２６は、工具１８をチャックするために半径方向内側に弾性的に作動される。
【００１３】
本発明の一態様において、縮寸スリーブ２２は、チャック開口部３０に挿入され、拡張ブッシュ２６によって画定されたチャック受口３１に受容される。他の態様において、縮寸スリーブ２２は略円筒状であり、拡張ブッシュ２６は、縮寸スリーブ２２を中心に円周方向に配置されるか、あるいは縮寸スリーブ２２を中心に少なくとも部分的に円周方向に配置される。
【００１４】
縮寸スリーブ２２は、あまりに多くの熱が工具１８から圧力チャンバ２８内の油圧流体に達することを回避するために、低い熱伝導率を有する材料から形成することができる。一態様において、スリーブ２２は、ステンレス鋼材料又はニッケル合金材料の少なくとも１つから形成される。適切な材料の例は、ハステロイ（Ｈａｓｔｅｌｌｏｙ）（登録商標）又はインコネル（Ｉｎｃｏｎｅｌ）（登録商標）のようなニッケル合金を含むが、限定されない。
【００１５】
工具１８は、例えば１つ以上の溝４０とシャンク部分４２とを有する切削部分３８を含む。縮寸スリーブ２２は、チャックされるべき工具１８を受容するための工具ホルダ受口３２を画定する。より詳しくは、工具ホルダ受口３２は、シャンク部分４２が工具ホルダ受口３２に受容されるように受口開口部３４を通してシャンク部分４２を挿入するために、縮寸スリーブ２２の軸方向前端３６に隣接して受口開口部３４を画定する。縮寸スリーブ２２は、軸方向前端３６からスリーブ本体４７の軸方向後端４９に延びる側壁４８を含むスリーブ本体４７を備える。一態様において、縮寸スリーブ２２は、工具１８を中心に、例えばシャンク部分４２を中心に円周方向に、あるいは工具１８を中心に、例えばシャンク部分４２を中心に少なくとも部分的に円周方向に配置される。
【００１６】
縮寸スリーブ２２は、所望し得るように交換又は修理のために縮寸スリーブ２２の取り外しを可能にしつつ、アセンブリ１０を操作するために縮寸スリーブ２２をチャック本体に固定するように、チャック本体２４に解放可能に取り付け可能である。一態様において、本発明は、縮寸スリーブ２２の軸方向後端４９に隣接して縮寸スリーブ２２をチャック本体２４に取り付けるための手段を提供する。他の態様において、縮寸スリーブ２２の解放可能な取付けは、例えば、チャック受口３１の軸方向後端５４に、又はそれに隣接して構成されたチャック本体２４の装着部材５２と協働するために、縮寸スリーブ２２の軸方向後端４９に、又はそれに隣接して構成された例えばコネクタ要素５０によって達成される。
【００１７】
一実施例において、コネクタ要素５０は、例えば、装着部材５２の対応する装着ねじ山（ｍｏｕｎｔｉｎｇ  ｔｈｒｅａｄｓ）（例えば図２に一般に５８と指定されかつ図示されている）と協働して、スリーブ本体４７の軸方向後端４９に隣接してスリーブ本体４７を油圧拡張チャック本体２４に解放可能に取り付けることを可能にするために、雄ねじ（例えば図４Ａに一般に５６と指定されかつ図示されている）を含んでもよい。縮寸スリーブ２２をチャック本体２４に解放可能に取り付けるために、他の種類のコネクタ要素、装着部材及び関連の構成要素又は付属品を設けてもよいことが認識されるであろう。
【００１８】
本発明の他の態様において、縮寸スリーブ２２は、その軸方向前端３６に隣接してフランジ７０を含む。フランジ７０は、拡張ブッシュ２６の軸方向前端２７に係合するように構成される。フランジ７０はまた、チャック１２の工具受口側端部１４に係合するために構成されてもよい。有利に、フランジ７０と拡張ブッシュ２６の軸方向前端２７との間の協働係合は、コネクタ要素５０及び装着部材５２と関連して働いて、縮寸スリーブ２２をチャック本体２４にさらに固定する。一態様において、コネクタ要素５０は、装着部材５２に取り付けられているので、フランジ７０は、拡張ブッシュ２６の軸方向前端２７に対してしっかりと引っ張られ、所望のクランプ構成を提供する。他の態様においては、組み立てられると、スリーブ本体４７の軸方向後端４９と、チャック受口３１の軸方向後端５４との間に隙間７２が設けられてもよい。
【００１９】
本発明の他の態様において、縮寸スリーブ２２は、軸線Ａ−Ａに沿って工具ホルダ受口３２の工具１８の軸方向位置を調整するための調整要素５９を含む。工具１８のこの軸方向調整、より詳しくは、縮寸スリーブ２２の工具ホルダ受口３２に対するシャンク部分４２の位置調整は、例えば、工具１８の底端部６４と協働するための工具ホルダ受口３２の軸方向後端６２に隣接して工具ホルダ受口３２内に少なくとも部分的に構成されたセットねじアセンブリ（ｓｅｔ  ｓｃｒｅｗ  ａｓｓｅｍｂｌｙ）６０によって達成される。セットねじアセンブリ６０は、工具ホルダ受口３２内で軸方向に移動可能である。工具ホルダ受口３２の工具１８の軸方向位置を調整するための調整要素５９として、セットねじアセンブリ６０の他に、他の種類の構成要素又はアセンブリを設けてもよいことが認識されるであろう。
【００２０】
本発明の他の態様において、縮寸スリーブ２２は、縮寸スリーブを中心に円周方向に離間している複数の細長いスロット６６を含む。より詳しくは、複数の細長いスロット６６は、拡張ブッシュ２６によって半径方向に圧縮されるときに縮寸スリーブ２２の半径方向の変形を可能にするために、また拡張ブッシュ２６から圧縮が取り除かれるときに半径方向の拡張を可能にするために、縮寸スリーブ２２を通して半径方向に延びる。有利に、これにより、様々な種類及びサイズの工具、例えば様々な直径のシャンクを油圧拡張チャック１２と関連して使用することが可能になる。縮寸スリーブ２２を所望のように容易に変形することによって圧力がチャック１２から工具１８のシャンク４２に伝達されるとき、グリップを高めるためにスリーブ２２における半径方向の柔軟性が重要であることも認識される。スリーブ２２は、高い軸方向の強度及び剛性、しかし非常に低い半径方向の剛性を有利に提供するように構成される。
【００２１】
一態様において、複数の細長いスロット６６は、スリーブ本体４７の側壁４８に形成され、スリーブ本体４７を中心に円周方向に離間している。他の態様において、複数の細長いスロット６６は、側壁４８を通して半径方向に工具ホルダ受口３２に延びる。他の態様において、複数の細長いスロット６６は、側壁４８で縮寸スリーブ２２の軸方向前端３６から縮寸スリーブ２２の軸方向後端４９に軸方向に延びる。代わりに、複数の細長いスロット６６は、側壁４８の部分のみに沿って軸方向に延びてもよく、すなわち、スリーブ本体４７の軸長全体を延びなくてもよい。他の態様において、複数の細長いスロット６６は、軸方向前端３６（例えば、図４Ｂのスロット部分６６ａ参照）及び／又は軸方向後端４９（例えば、図４Ｂのスロット部分６６ｂ参照）内に延びてもよい。
【００２２】
図５Ａ及び図５Ｂは、本発明の一態様による追加の縮寸スリーブ１２２を示している。縮寸スリーブ１２２は、図示したように異なって構成される複数の細長いスロット１６６を含むこと以外、本明細書に記載したように、構造的かつ機能的に縮寸スリーブ２２とほぼ同様である。
【００２３】
図６Ａ及び図６Ｂは、本発明の一態様による追加の縮寸スリーブ２２２を示している。縮寸スリーブ２２２は、図示したように異なって構成される複数の細長いスロット２６６を含むこと以外、本明細書に記載したように、構造的かつ機能的に縮寸スリーブ２２と１２２とほぼ同様である。
【００２４】
図７Ａ及び図７Ｂは、本発明の一態様による追加の縮寸スリーブ３２２を示している。縮寸スリーブ３２２は、図示したように異なって構成される複数の細長いスロット３６６を含むこと以外、本明細書に記載したように、構造的かつ機能的に縮寸スリーブ２２、１２２と２２２とほぼ同様である。
【００２５】
さらに、チャック本体２４の装着部材５２と協働するために、すなわち装着部材に解放可能に係合するために、縮寸スリーブ２２のコネクタ要素５０を回転させるか又は駆動する、すなわち締め付けるか又は緩めるための様々な手段が設けられる。一態様において、図８及び図８Ａは、軸方向前方４３６ａ及び縮寸スリーブ４２２ａを駆動するためのフランジ４７０ａに形成された１つ以上のスロット４７４を有する縮寸スリーブ４２２ａを示している。縮寸スリーブ４２２ａを駆動するか又は回転させるために、例えばねじ回しのような適切な工具を１つ又は複数のスロット４７４に挿入してもよい。他の態様において、図９及び図９Ａは、軸方向前方４３６ｂ及び縮寸スリーブ４２２ｂを駆動するためのフランジ４７０ｂに形成された１つ以上の開口４７５を有する縮寸スリーブ４２２ｂを示している。
【００２６】
他の態様において、図１０及び図１０Ａは、縮寸スリーブ５２２ａを駆動するために軸方向前方５３６ａに形成された１つ以上のスロット５７４を有するが、フランジを有しない縮寸スリーブ５２２ａを示している。他の態様において、図１１及び図１１Ａは、縮寸スリーブ５２２ｂを駆動するために軸方向前方５３６ｂに形成された１つ以上の開口５７５を有するが、フランジを有しない縮寸スリーブ５２２ｂを示している。
【００２７】
他の態様において、図１２及び図１２Ａは、縮寸スリーブ６２２ａを駆動するために工具ホルダ受口６３２ａの軸方向後端６６２ａに隣接して形成されたスロット６７６を有する縮寸スリーブ６２２ａ（軸方向前端６３６ａにフランジを有しない）を示している。縮寸スリーブ６２２ａを駆動するか又は回転させるために、例えばねじ回しのような適切な工具をスロット６７６に挿入してもよい。他の態様において、図１３及び図１３Ａは、縮寸スリーブ６２２ｂを駆動するために工具ホルダ受口６３２ｂの軸方向後端６６２ｂに隣接して形成された１つ以上の開口６７７を有する縮寸スリーブ６２２ｂ（軸方向前端６３６ｂにフランジを有しない）を示している。さらに他の態様において、図１４及び図１４Ａは、縮寸スリーブ６２２ｃを駆動するために工具ホルダ受口６３２ｃの軸方向後端６６２ｃに隣接して形成された六角ナットアセンブリ（ｈｅｘ  ｎｕｔ  ａｓｓｅｍｂｌｙ）６７８を有する縮寸スリーブ６２２ｃ（軸方向前端６３６ｃにフランジを有しない）を示している。
【００２８】
図１５は、追加の油圧拡張チャックアセンブリ６１０（本明細書に説明かつ図示したアセンブリ１０と同様）を示しており、このチャックアセンブリは、六角ナットアセンブリ（ｈｅｘ  ａｓｓｅｍｂｌｙ）６７８を有するが、軸方向前端６３６ｃにフランジを有しない縮寸スリーブ６２２ｃを含む。軸方向前端６３６ｃにフランジを有しないことによって、スリーブ本体６４７の軸方向後端６４９は、スリーブ６２２ｃを締め付けるためにスリーブ６２２ｃが回転されるか又は駆動されるときに、チャック受口の軸方向後端６５４に係合するか又は接触するように構成される（すなわち、図３に示したような間隙７２が締付け後に設けられないか又は残らない）。有利に、これにより、回転中のスリーブ６２２ｃの望ましくない捻れが防止される。軸方向前端にフランジを有しない本明細書に説明かつ図示した縮寸スリーブのすべてを、チャック受口の軸方向後端に係合又は接触するように同様に構成してもよいことが認識されるであろう。
【００２９】
説明の目的で本発明の特定の態様について上述してきたが、添付の特許請求の範囲に規定されるような本発明から逸脱することなしに本発明の細部の多くの変更を行うことが可能であることが、当業者には明らかであろう。
【符号の説明】
【００３０】
１０  油圧拡張チャックアセンブリ
１２  油圧拡張チャック
１４  工具受口側端部
１６  機械工具側端部
１８  切削工具
２０  駆動アダプタ
２２  縮寸スリーブ
２４  チャック本体
２６  拡張ブッシュ
２７  軸方向前端
２８  圧力チャンバ
３０  チャック開口部
３１  チャック受口
３２  工具ホルダ受口
３４  受口開口部
３６  軸方向前端
３８  切削部分
４０  溝
４２  シャンク部分
４７  スリーブ本体
４８  側壁
４９  軸方向後端
５０  コネクタ要素
５２  装着部材
５４  軸方向後端
５６  雄ねじ
５８  装着ねじ山
５９  調整要素
６０  セットねじアセンブリ
６２  軸方向後端
６４  底端部
６６  細長いスロット
６６ａ  スロット部分
６６ｂ  スロット部分
７０  フランジ
７２  隙間
１２２  追加の縮寸スリーブ
１６６  細長いスロット
２２２  追加の縮寸スリーブ
２６６  細長いスロット
３２２  追加の縮寸スリーブ
３６６  細長いスロット
４２２ａ  縮寸スリーブ
４２２ｂ  縮寸スリーブ
４３６ａ  軸方向前方
４３６ｂ  軸方向前方
４７０ａ  フランジ
４７０ｂ  フランジ
４７４  スロット
４７５  開口
５２２ａ  縮寸スリーブ
５２２ｂ  縮寸スリーブ
５３６ａ  軸方向前方
５３６ｂ  軸方向前方
５７４  スロット
５７５  開口
６１０  追加の油圧拡張チャックアセンブリ
６２２ａ  縮寸スリーブ
６２２ｂ  縮寸スリーブ
６２２ｃ  縮寸スリーブ
６３２ａ  工具ホルダ受口
６３２ｂ  工具ホルダ受口
６３２ｃ  工具ホルダ受口
６３６ａ  軸方向前端
６３６ｂ  軸方向前端
６３６ｃ  軸方向前端
６６２ａ  軸方向後端
６６２ｂ  軸方向後端
６６２ｃ  軸方向後端
６４７  スリーブ本体
６４９  軸方向後端
６５４  軸方向後端
６７６  スロット
６７７  開口
６７８  六角ナットアセンブリ
【図１】
2014231140.tif 000003
【図２】
2014231140.tif 000004
【図３】
2014231140.tif 000005
【図４Ａ】
2014231140.tif 000006
【図４Ｂ】
2014231140.tif 000007
【図５Ａ】
2014231140.tif 000008
【図５Ｂ】
2014231140.tif 000009
【図６Ａ】
2014231140.tif 000010
【図６Ｂ】
2014231140.tif 000011
【図７Ａ】
2014231140.tif 000012
【図７Ｂ】
2014231140.tif 000013
【図８】
2014231140.tif 000014
【図８Ａ】
2014231140.tif 000015
【図９】
2014231140.tif 000016
【図９Ａ】
2014231140.tif 000017
【図１０】
2014231140.tif 000018
【図１０Ａ】
2014231140.tif 000019
【図１１】
2014231140.tif 000020
【図１１Ａ】
2014231140.tif 000021
【図１２】
2014231140.tif 000022
【図１２Ａ】
2014231140.tif 000023
【図１３】
2014231140.tif 000024
【図１３Ａ】
2014231140.tif 000025
【図１４】
2014231140.tif 000026
【図１４Ａ】
2014231140.tif 000027
【図１５】
2014231140.tif 000028